(57)【要約】【課題】  その目的とするところは使用者の要望に応え、清潔で且つ衛生的であり、さらに衛生的であることが表示されている紙製一次容器及びブランクを提供することにある。【解決手段】  一枚のブランクからなり内容物が直接収容される紙製一次容器において、前記ブランクの内容物と接する内側の表面であって、且つ、内容物と接しない部分に前記ブランクの少なくとも前記内側の表面に紫外線照射がされたことを示す表示領域が設けられていることを特徴とする紙製一次容器である。【選択図】        図１
2020090299.tif 000002
【特許請求の範囲】
【請求項１】
一枚のブランクからなり内容物が直接収容される紙製一次容器において、
前記ブランクの内容物と接する内側の表面であって、
且つ、内容物と接しない部分に前記ブランクの少なくとも前記内側の表面に紫外線照射がされたことを示す表示領域が設けられていることを特徴とする紙製一次容器。
【請求項２】
前記紙製一次容器を形成する前記ブランクが底面板と、
当該底面板に連接する側面板と、
当該側面板に連接する重合片を備え、
前記表示領域が前記重合片の内側の表面に設けられており、
前記重合片の内側の表面が前記側面板の外側の表面に重合されたことにより前記表示領域が見えないことを特徴とする請求項１に記載の紙製一次容器。
【請求項３】
前記表示領域に形成された表示が紫外線照射により硬化する紫外線硬化型インキにより形成されていることを特徴とする請求項１または請求項２に記載の紙製一次容器。
【請求項４】
請求項１乃至請求項３のいずれかに記載の前記紙製一次容器を形成するブランク。
【発明の詳細な説明】
【技術分野】
【０００１】
本発明は、一枚のブランクからなり内容物が直接収容される紙製一次容器に関する。
【背景技術】
【０００２】
従来、食品等の内容物が直接収容される紙製一次容器としては、トレー形状や蓋部を備えたカートン等が広く知られている。例えば、唐揚げ、フライドポテト、ピザ等のファストフードを購入し、ファストフード店内で食べたりする紙製一次容器としてはトレー形状や蓋部を備えた形状が多く用いられており、また、持ち帰り用紙製一次容器としては蓋部に把手を備えたテイクアウト用カートンが用いられている（例えば、特許文献１、２参照）。
【０００３】
しかしながら、前記の紙製一次容器は食品等の内容物を直接収容するために清潔で且つ衛生的であることが必要である。さらに紙製一次容器を使用するメーカー等の使用者から衛生的であることを表示してほしいとの要望がある。
【先行技術文献】
【特許文献】
【０００４】
【特許文献１】特開平８−７２８５４号公報
【特許文献２】特開平８−２４４７７５号公報
【発明の概要】
【発明が解決しようとする課題】
【０００５】
そこで本発明は、上記問題を解決すべくなされたものであり、その目的とするところは使用者の要望に応え、清潔で且つ衛生的であり、さらに衛生的であることが表示されている紙製一次容器及びブランクを提供することにある。
【課題を解決するための手段】
【０００６】
本発明は、上記課題を達成するために、請求項１に記載の本発明は、一枚のブランクからなり内容物が直接収容される紙製一次容器において、前記ブランクの内容物と接する内側の表面であって、且つ、内容物と接しない部分に前記ブランクの少なくとも前記内側の表面に紫外線照射がされたことを示す表示領域が設けられていることを特徴とする紙製一次容器である。
【０００７】
また、請求項２に記載の本発明は、請求項１に記載の紙製一次容器において、前記紙製一次容器を形成する前記ブランクが底面板と、当該底面板に連接する側面板と、当該側面板に連接する重合片を備え、前記表示領域が前記重合片の内側の表面に設けられており、前記重合片の内側の表面が前記側面板の外側の表面に重合されたことにより前記表示領域が見えないことを特徴とするものである。
【０００８】
また、請求項３に記載の本発明は、請求項１または請求項２に記載の紙製一次容器において、前記表示領域に形成された表示が紫外線照射により硬化する紫外線硬化型インキにより形成されていることを特徴とするものである。
【０００９】
また、請求項４に記載の本発明は、請求項１乃至請求項３のいずれかに記載の前記紙製一次容器を形成するブランクである。
【発明の効果】
【００１０】
本発明の紙製一次容器は、清潔で且つ衛生的であり、さらに衛生的であることが表示されている紙製一次容器及びブランクとすることができる。具体的には、紙製一次容器に内容物が直接収容され、内容物と接する内側の表面には紫外線照射がされているので表面に付着する一般生菌数を減らすことが可能であり、衛生的な紙製一次容器とできる。また、内側の表面に紫外線照射がされたことを示す表示領域に例えば、紫外線照射済等を表示することにより、使用者に安心感を与えることができる。さらに表示領域は内容物と接しない部分に設けられているので衛生性の優れた紙製一次容器とできる。
【図面の簡単な説明】
【００１１】
【図１】本発明の紙製一次容器を形成するブランクの一例を示し、内側の表面から見たブランクの展開図である。
【図２】本発明の紙製一次容器を形成するブランクの一例を示し、外側の表面から見たブランクの展開図である。
【図３】図１、図２に示すブランクで形成した紙製一次容器を示す斜視図である。
【図４】本発明の紙製一次容器を形成するブランクのその他の例を示し、内側の表面から見たブランクの展開図である。
【図５】本発明の紙製一次容器を形成するブランクのその他の例を示し、外側の表面から見たブランクの展開図である。
【図６】図４、図５に示すブランクで形成した紙製一次容器を示す斜視図である。
【発明を実施するための形態】
【００１２】
上記の本発明について、図面等を用いて以下に詳述する。
図１は本発明の紙製一次容器を形成するブランクの一例を示し、内側の表面から見たブランクの展開図、図２は本発明の紙製一次容器を形成するブランクの一例を示し、外側の表面から見たブランクの展開図、図３は図１、図２に示すブランクで形成した紙製一次容器を示す斜視図、図４は本発明の紙製一次容器を形成するブランクのその他の例を示し、内側の表面から見たブランクの展開図、図５は本発明の紙製一次容器を形成するブランクのその他の例を示し、外側の表面から見たブランクの展開図、図６は図４、図５に示すブランクで形成した紙製一次容器を示す斜視図であり、図中の１、２は紙製一次容器、１０、２０はブランク、１１、２１は底面板、１２、１３、１４、１５は側面板、１２ａ、１２ｂ、１３ａ、１３ｂ、１４ａ、１４ｂ、１５ａ、１５ｂは折込片、１２ｃ、１３ｃは小フラップ、１６、１７は天面板、１６ａ、１７ａは膨出部、１６ｋ、１７ｋは切込、１８、２８は表示領域、１８ａ、２８ａ表示、１９は表面コート非コート部、２２、２３、２４、２５は側面板、２２ａ、２２ｂ、２３ａ、２４ｂは重合片、２４ｄ、２５ｄは膨らみ部、Ｗはウェッブコーナー部、Ｋは係合部、ｅは折罫、ｆは罫線をそれぞれ示す。
【００１３】
図３は本発明に係る紙製一次容器を示す斜視図であり、この紙製一次容器１は図１、図２にその展開図を示すブランク１０を組み立てることにより形成される。
【００１４】
図１のブランク１０は、板紙等を基材とし、その基材に多面付けで所定の印刷を施したものに折罫と切線を施し、打抜いて作成したものである。図１に示すように、矩形の底面板１１における上下に折罫を介して側面板１４、側面板１５、左右に側面板１２、側面板１３がそれぞれ連接されており、それぞれの側面板１２、側面板１３、側面板１４、側面板１５、には両側の側辺に折罫を介して三角形状の折込片１２ａ、１２ｂ、折込片１３ａ、１３ｂ、折込片１４ａ、１４ｂ、折込片１５ａ、１５ｂがそれぞれ連接され、隣接する折込片同士が底面板１１の角部から外方に向かい放射線状に延びる折罫ｅを介して連結されており、ウェッブコーナー部Ｗを形成している。
【００１５】
図１は内側の表面から見た状態を示しており、ブランク１０を組立て紙製一次容器１（図３参照）としたとき、内容物と接する内側の表面となる。そして、ブランク１０の内側の表面にはウェッブコーナー部Ｗを形成する折罫ｅを介して連結された折込片１４ｂと折込片１２ａ、折込片１２ｂと折込片１５ａ、折込片１５ｂと１３ａ、折込片１３ｂと折込片１４ａには紫外線照射がされたことを示す表示領域１８が設けられている。表示領域１８には紫外線硬化型インキを用いて印刷された表示１８ａが形成されている。表示１８ａを紫外線硬化型インキを用いて印刷することにより、ブランク１０の内側の表面に紫外線照射したとき、紫外線硬化型インキが紫外線硬化すると共にブランク１０の少なくとも内側の表面に紫外線照射がされたことを示す証明となり、紙製一次容器を使用する使用者に安心感を与え、衛生的な容器とすることが可能となる。表示領域１８は内容物と接しない部分に設けることが重要であり、このウェッブコーナー部Ｗを形成する折込片に設けることが好ましい。このウェッブコーナー部Ｗを形成する折込片は後述するがブランク１０を組み立てて紙製一次容器１にしたとき、内容物と接しない部分となるものである。図１では表示領域１８をウェッブコーナー部Ｗを形成する折込片の全てに設け、「ＵＶ照射済」との表示１８ａを４か所に設けた例を示しているが、いずれか１か所または２か所以上設けてもよいものである。さらに、内容物と接しない部分であれば、表示領域１８は図１に限定されるものではなく、例えば、天面板１６または天面板１７、あるいは天面板１６及び天面板１７の内側の表面、あるいは小フラップ１２ｃ、１３ｃに設けてもよい。なお、紫外線照射は少なくともブランク１０の内側の表面に照射されていればよいものであるが、ブランク１０の外面も含め両面に紫外線照射されることがより好ましい。
【００１６】
図１に示すように左右の側面板１２と側面板１３の外側の辺には折罫を介して小フラップ１２ｃと小フラップ１３ｃがそれぞれ連接されている。そして、上下の側面板１４と側面板１５の外側の辺には折罫を介して天面板１６と天面板１７が連接されている。天面板１６と天面板１７の外側の辺には略中央から外方に膨らむ膨出部１６ａ、１７ａがそれぞれ連接されており、膨出部１６ａ、１７ａの立ち上がりとなる外側の辺の略中央に切込１６ｋ、１７ｋがそれぞれ設けられている。切込１６ｋは天面板１６に設けられ、膨出部１６ａの立ち上がり部分より折込片１４ｂに向かう方向に「の」の字状に形成されている。切込１７ｋは天面板１７に設けられ、膨出部１７ａの立ち上がり部分より折込片１５ｂに向かう方向に「の」の字状に形成されている。天面板１６、１７はそれぞれ天面の約半分の大きさで内側に折り曲げたとき、膨出部１６ａが天面板１７に重なり、膨出部１７ａが天面板１６に重なり、切込１６ｋと切込１７ｋが相互に係合し蓋部を形成するものである。また、側面板１２、１３、１４、１５の外側辺と底面板１１と連接する内側辺の間に外側辺及び内側辺に並行する罫線ｆが押罫としてそれぞれ形成されている。罫線ｆを施すことにより、この罫線ｆが側面板の骨となって側面板１２、１３、１４、１５を補強する効果があり、内容物が充填されたとき、側面板が外側に膨れることが抑制され、紙製一次容器１の見栄えがよくなる。また、この罫線を喫水線として利用すれば、使用者が湯を入れて食すような容器として使用することができる。このような場合は前記の通り、小フラップ１２ｃ、１３ｃや天面板１６、１７に表示部を設けることが好ましい。罫線ｆは側面板と折込片を連接するそれぞれの折罫と連結しないように少し離して設ける方が好ましい。
【００１７】
図２は図１に示すブランク１０の展開図を外側の表面から見た状態を示している。図示しないが、ブランク１０の外側には文字、デザイン等の印刷が施され意匠性が付与される。さらに最表面には表面コートが施され、紙製一次容器１の耐摩擦性等の表面物性の向上と光沢等の意匠性の向上が図られる。図２に示すブランク１０を用いて紙製一次容器１に製函するとき、後述するが折込片１２ａ，１２ｂの外面が側面板１２の外面に折り畳まれて重合され、接着剤等で接着される。同様に折込片１３ａ，１３ｂの外面が側面板１３の外面に折り畳まれて重合され、接着剤等で接着される。そのとき、折込片１２ａ，１２ｂの外面と側面板１２の外面の接着、及び折込片１３ａ，１３ｂの外面と側面板１３の外面の接着が容易になるように表面コートを部分的に抜くことが好ましい。図２に示す網点部分は表面コート非コート部１９を示している。
【００１８】
図１のブランク１０を組み立てるには、底面板１１に対して折罫にて側面板１２、１３、１４、１５を起立させると共に、それと同時に折込片１２ｚと折込片１４ｂ、折込片１２ｂと１５ａ、折込片１５ｂと折込片１３ａ、折込片１３ｂと折込片１４ａをそれぞれ外側に引き出して折罫に沿って折り込むことによりウェッブコーナー部Ｗを形成し、このウェッブコーナー部Ｗを折り込んだ状態で側面板１２と側面板１３の外側の面に重合して接着剤等で貼り合わせることで図示しないが上方に向かい拡開する逆角錐台形状の上方が開口した箱形状とする。このとき、ウェッブコーナー部Ｗは各折込片の内面同士が重合されることになり表示領域１８の面同士が対面した状態で貼り合わされているので表示１８ａは外からは見えない状態となると共に表示１８ａは内容物と接することがない。
【００１９】
図１、図２において、実線で示した折罫は山折りされ、破線で示した折罫は谷折りされることを示すものである。天面板１６と側面板１４、天面板１７と側面板１５、側面板１２と小フラップ１２ｃ、及び側面板１３と小フラップ１３ｃがそれぞれ連接する折罫は折り曲げを容易にするために折罫線の途中に切込みを施したリード罫とする方が好ましい。また、ミシン目としてもよい。
【００２０】
つぎに上方の開口から内容物を直接、入れた後、図３に示すように、側面板１２及び側面板１３の外側の辺連接した小フラップ１２ｃ、１３ｃを内側に折り曲げてから、天面板１６と天面板１７を膨出部１６ａと膨出部１７ａが相互に接近する方向に内側に折り曲げ、膨出部１６ａの内面を天面板１７の外面に重合させ、膨出部１７ａの内面を天面板１６の外面に重合させると、切込１６ｋと切込１７ｋが係合部Ｋで係止し、天面板１６、１７で蓋部が形成され、図３に示す逆角錐台形状の紙製一次容器１が完成する。
【００２１】
紙製一次容器１に充填された内容物を食するには、天面板１７と天面板１６を膨出部１６ａまたは膨出部１７ａの一方を摘み、他方を押さえながら引っ張り上げることにより、係合部Ｋの切込１６ｋ、１７ｋの係止状態が解除され、観音開きして蓋部を開放することができる。紙製一次容器１は少なくとも内面に紫外線照射されているので衛生的な容器となっている。
【００２２】
図６は本発明に係る紙製一次容器２を示す斜視図であり、この紙製一次容器２は図４、図５にその展開図を示すブランク２０を組み立てることにより形成される。
【００２３】
図４は本発明の紙製一次容器２を形成するブランク２０のその他の例を示し、内側の表面から見たブランク２０の展開図である。図４のブランク２０は、板紙等を基材とし、その基材に多面付けで所定の印刷を施したものに折罫と切線を施し、打抜いて作成したものである。図４に示すように、紙製一次容器２を形成するブランク２０が矩形の底面板２１と、底面板２１の上下に折罫を介して側面板２４、側面板２５、左右に側面板２２、側面板２３がそれぞれ連接されており、左右の側面板２２、側面板２３の上辺及び下辺に折罫を介して台形状の重合片２２ａ、２２ｂ、重合片２３ｂ、２３ａがそれぞれ連接されている。上下の側面板２４、側面板２５の外側辺の略中央には外方に円弧状に膨出した膨らみ部２４ｄ、２５ｄが設けられているが必ずしも設けなくてもよく直線でもよい。
【００２４】
図４は内側の表面から見た状態を示しており、ブランク２０を組立て紙製一次容器２（図６参照）としたとき、内容物と接する内側の表面となる。そして、左右の側面板２２、側面板２３の上辺及び下辺に折罫を介して設けられた重合片２２ａ、２２ｂ、２３ａ、２３ｂの内側の表面には紫外線照射がされたことを示す表示領域２８が設けられている。表示領域２８には紫外線硬化型インキを用いて印刷された表示２８ａが形成されている。その状態を図４の円内に拡大して示す。表示２８ａを紫外線硬化型インキを用いて印刷することにより、ブランク２０の内側の表面に紫外線照射したとき、紫外線硬化型インキが紫外線硬化すると共にブランク２０の少なくとも内側の表面に紫外線照射がされたことを示す証明となり、紙製一次容器を使用する使用者に安心感を与え、衛生的な容器とすることが可能となる。表示領域２８は内容物と接しない部分に設けることが重要であり、重合片２２ａ、２２ｂ、２３ａ、２３ｂは後述するがブランク２０を組み立てて紙製一次容器２にしたとき、内容物と接しない部分となるものである。図４では表示領域２８を重合片２２ａ、２２ｂ、２３ａ、２３ｂのそれぞれに表示領域２８を設けることができる。表示領域２８には「ＵＶ照射済」との表示２８ａを設けることができるが、少なくとも１つの重合片に設ければよい。あるいは２つ以上の重合片に設けてもよく任意である。
【００２５】
図５は図４に示すブランク２０の展開図を外側の表面から見た状態を示している。図示しないが、ブランク２０の外側には文字、デザイン等の印刷が施され意匠性が付与される。さらに最表面には表面コートが施され、紙製一次容器２の耐摩擦性等の表面物性の向上と光沢等の意匠性の向上が図られる。
【００２６】
図４のブランク２０を組み立てるには、底面板２１に対して折罫にて側面板２２、２３、２４、２５を起立させ、側面板２２の上下辺に設けられた重合片２２ａ、２２ｂ、及び側面板２３の上下辺に設けられた重合片２３ｂ、２３ａをそれぞれ内側に折罫に沿って折り曲げ、それぞれの重合片の内側の表面を側面板２４と側面板２５の外側の面に重合して接着剤等で貼り合わせることで図６に示す上方に向かい拡開する逆角錐台形状の上方が開口したテーパー付きトレー形状とする。このとき、重合片２２ａ、２２ｂ、２３ａ、２３ｂの内側の表面が側面板２４、２５の外側の表面に重合されたことにより重合片２２ａ、２２ｂ、２３ａ、２３ｂの内側の表面に設けられた表示領域２８が見えないこととなり、表示２８ａは外からは見えない状態となると共に表示２８ａは内容物と接することがない。なお、  図４、図５において、実線で示した折罫は山折りされ、破線で示した折罫は谷折りされることを示すものである。
【００２７】
トレー形状の紙製一次容器には例えば唐揚げ、フライドポテト、ピザ等の内容物が直接に投入され、広い開口より内容物を摘み食することができる。紙製一次容器２は少なくとも内面に紫外線照射されているので衛生的な容器となっている。
【００２８】
なお、ブランク２０の外面に表面コートを施す場合、重合片２２ａ、２２ｂ、２３ａ、２３ｂの内面が重ねられる側面板２４、２５の外面の重ね部分には表面コートを部分的に抜くことが好ましく、良好な接着が得られる。
【００２９】
以上、今まで説明してきた実施形態は、本発明に係る紙製一次容器の代表的な実施例を挙げたものであって、本発明に係る紙製一次容器はこれに限るものではなく、本発明の趣旨を逸脱しない範疇のものは、すべて本発明に含まれるものである。
【００３０】
紙製一次容器１、２の素材としては、カード紙、アイボリー等の板紙、または紙箱用の板紙にポリエチレン、ポリプロピレン、ポリエチレンテレフタレート、ポリブチレンテレフタレート等の樹脂を積層した板紙を使用することができる。積層方法としては板紙に樹脂を溶融押出してラミネートする押出ラミネート法あるいは前記樹脂等の樹脂フィルムを接着剤を介して板紙にラミネートするウェットラミネート法もしくはドライラミネート法を用いる。
【００３１】
紙製一次容器１、２の形状はテーパー付き容器やテーパー付きトレーの形状としたが、ブランクの少なくとも内容物と接する内側の表面に紫外線照射がされ、紫外線照射されたことを示す表示領域が内容物と接しない部分に設けられていれば、特に、限定するものではない。
【産業上の利用可能性】
【００３２】
本発明の紙製一次容器は調理された内容物を直接入れて使用するテイクアウト用紙製一次容器やファストフード店で調理された内容物を直接入れ食する紙製一次容器として好適である。
【符号の説明】
【００３３】
１、２                              紙製一次容器
１０、２０                          ブランク
１１、２１                          底面板
１２、１３、１４、１５              側面板
１２ａ、１２ｂ、１３ａ、１３ｂ      折込片
１２ｃ、１３ｃ                      小フラップ
１４ａ、１４ｂ、１５ａ、１５ｂ      折込片
１６、１７                          天面板
１６ａ、１７ａ                      膨出部
１６ｋ、１７ｋ                      切込
１８、２８                          表示領域
１８ａ、２８ａ                      表示
１９                                表面コート非コート部
２２、２３、２４、２５              側面板
２２ａ、２２ｂ、２３ａ、２４ｂ      重合片
２４ｄ、２５ｄ                      膨らみ部
Ｗ                                  ウェッブコーナー部
Ｋ                                  係合部
ｅ                                  折罫
ｆ                                  罫線
【図１】
2020090299.tif 000003
【図２】
2020090299.tif 000004
【図３】
2020090299.tif 000005
【図４】
2020090299.tif 000006
【図５】
2020090299.tif 000007
【図６】
2020090299.tif 000008